【手続補正書】
【提出日】平成21年11月11日(2009.11.11)
【手続補正１】
【補正対象書類名】特許請求の範囲
【補正対象項目名】全文
【補正方法】変更
【補正の内容】
【特許請求の範囲】
【請求項１】
物体側から像側へ順に、フォーカスのためには不動の第１レンズ群、開口絞りを備え、フォーカスのために移動する正の屈折力の第２レンズ群から構成され、前記第１レンズ群は、負レンズのみで構成される第１Ａレンズ群と、最も物体側に正レンズを有し、複数のレンズで構成される正の屈折力の第１Ｂレンズ群から構成され、前記第１Ａレンズ群は像側が凹面でメニスカス形状の３以上の負レンズを有し、該３以上の負レンズの少なくとも１つのレンズ面Ｒａ１は非球面形状であり、該第１Ｂレンズ群を構成する少なくとも１つの正レンズＬ１Ｂｐの材料のアッベ数をνｄ１ｐ、該正レンズＬ１Ｂｐの材料のｇ線、ｄ線、Ｆ線、Ｃ線における屈折率を順にＮｇ１ｐ、Ｎｄ１ｐ、ＮＦ１ｐ、ＮＣ１ｐ、該第１Ｂレンズ群と全系の焦点距離を各々ｆ１Ｂ、ｆとし、
θｇＦ１ｐ＝（Ｎｇ１ｐ−Ｎｄ１ｐ）／（ＮＦ１ｐ−ＮＣ１ｐ）
とするとき、
０．３００＜ｆ／ｆ１Ｂ＜１．５００
θｇＦ１ｐ＋２．０×１０−３・νｄ１ｐ＜０．６５６
νｄ１ｐ＜４５．０
なる条件を満足することを特徴とする光学系。
【請求項２】
前記第１Ａレンズ群を構成する少なくとも１つの負レンズＬ１Ａｎの材料のアッベ数をνｄ１ｎ、該負レンズＬ１Ａｎの材料のｇ線、ｄ線、Ｆ線、Ｃ線における屈折率を順に、Ｎｇ１ｎ、Ｎｄ１ｎ、ＮＦ１ｎ、ＮＣ１ｎとし、
θｇＦ１ｎ＝（Ｎｇ１ｎ−Ｎｄ１ｎ）／（ＮＦ１ｎ−ＮＣ１ｎ）
とするとき、
θｇＦ１ｎ＋１．３×１０−３・νｄ１ｎ＞０．６２５
νｄ１ｎ＞６０．０
なる条件を満足することを特徴とする請求項１の光学系。
【請求項３】
前記レンズ面Ｒａ１の非球面形状は、該レンズ面Ｒａ１が凹形状のときはレンズ中心に比べてレンズ周辺部で負の屈折力が弱くなる形状であり、該レンズ面Ｒａ１が凸形状のときはレンズ中心に比べレンズ周辺部で正の屈折力が強くなる形状であることを特徴とする請求項１又は２の光学系。
【請求項４】
前記レンズ面Ｒａ１の像側に非球面形状のレンズ面Ｒａ２を含み、該レンズ面Ｒａ２の非球面形状は、該レンズ面Ｒａ２が凹形状のときはレンズ中心に比べてレンズ周辺部で負の屈折力が強くなる形状であり、該レンズ面Ｒａ２が凸形状のときはレンズ中心に比べレンズ周辺部で正の屈折力が弱くなる形状であることを特徴とする請求項１、２又は３の光学系。
【請求項５】
前記レンズ面Ｒａ１の有効径内における参照球面からの最大非球面量をＡ１とするとき、
０．１００＜Ａ１／ｆ＜０．３００
なる条件を満足することを特徴とする請求項１から４のいずれか１項の光学系。
【請求項６】
前記第２レンズ群を構成する少なくとも１つの正レンズＬ２ｐの材料のアッベ数をνｄ２ｐとし、該正レンズＬ２ｐの材料のｇ線、ｄ線、Ｆ線、Ｃ線における屈折率を順にＮｇ２ｐ、Ｎｄ２ｐ、ＮＦ２ｐ、ＮＣ２ｐ、
θｇＦ２ｐ＝（Ｎｇ２ｐ−Ｎｄ２ｐ）／（ＮＦ２ｐ−ＮＣ２ｐ）
とするとき、
θｇＦ２ｐ＋１．３×１０−３・νｄ２ｐ＞０．６２５
νｄ２ｐ＞６０．０
なる条件を満足することを特徴とする請求項１から５のいずれか１項の光学系。
【請求項７】
前記第２レンズ群を構成する少なくとも１つの負レンズＬ２ｎの材料のアッベ数をνｄ２ｎ、該負レンズＬ２ｎの材料のｇ線、ｄ線、Ｆ線、Ｃ線における屈折率を順に、Ｎｇ２ｎ、Ｎｄ２ｎ、ＮＦ２ｎ、ＮＣ２ｎとし、
θｇＦ２ｎ＝（Ｎｇ２ｎ−Ｎｄ２ｎ）／（ＮＦ２ｎ−ＮＣ２ｎ）
とするとき、
θｇＦ２ｎ＋２．０×１０−３・νｄ２ｎ＜０．６５６
νｄ２ｎ＜４５．０
なる条件を満足することを特徴とする請求項１から６のいずれか１項の光学系。
【請求項８】
前記第１レンズ群の焦点距離をｆ１、全系の焦点距離をｆとするとき、
−０．４００＜ｆ／ｆ１＜０．６００
なる条件を満足することを特徴とする請求項１から７のいずれか１項の光学系。
【請求項９】
前記第２レンズ群の焦点距離をｆ２、全系の焦点距離をｆとするとき、
０．３００＜ｆ／ｆ２＜０．７００
なる条件を満足することを特徴とする請求項１から８のいずれか１項の光学系。
【請求項１０】
前記第１Ａレンズ群の焦点距離をｆ１Ａ、全系の焦点距離をｆとするとき、
−２．０００＜ｆ／ｆ１Ａ＜−０．６００
なる条件を満足することを特徴とする請求項１から９のいずれか１項の光学系。
【請求項１１】
前記開口絞りの物体側の光学系と前記開口絞りの像側の光学系はそれぞれ正の屈折力であることを特徴とする請求項１から１０のいずれか１項の光学系。
【請求項１２】
請求項１から１１のいずれか１項の光学系を備えていることを特徴とする撮像装置。
【手続補正２】
【補正対象書類名】明細書
【補正対象項目名】００１６
【補正方法】変更
【補正の内容】
【００１６】
本発明の光学系は、物体側から像側へ順に、フォーカスのためには不動の第１レンズ群、開口絞りを備え、フォーカスのために移動する正の屈折力の第２レンズ群から構成され、前記第１レンズ群は、負レンズのみで構成される第１Ａレンズ群と、最も物体側に正レンズを有し、複数のレンズで構成される正の屈折力の第１Ｂレンズ群から構成され、前記第１Ａレンズ群は像側が凹面でメニスカス形状の３以上の負レンズを有し、該３以上の負レンズの少なくとも１つのレンズ面Ｒａ１は非球面形状であり、該第１Ｂレンズ群を構成する少なくとも１つの正レンズＬ１Ｂｐの材料のアッベ数をνｄ１ｐ、該正レンズＬ１Ｂｐの材料のｇ線、ｄ線、Ｆ線、Ｃ線における屈折率を順にＮｇ１ｐ、Ｎｄ１ｐ、ＮＦ１ｐ、ＮＣ１ｐ、該第１Ｂレンズ群と全系の焦点距離を各々ｆ１Ｂ、ｆとし、
θｇＦ１ｐ＝（Ｎｇ１ｐ−Ｎｄ１ｐ）／（ＮＦ１ｐ−ＮＣ１ｐ）
とするとき、
０．３００＜ｆ／ｆ１Ｂ＜１．５００
θｇＦ１ｐ＋２．０×１０−３・νｄ１ｐ＜０．６５６
νｄ１ｐ＜４５．０
なる条件を満足することを特徴としている。
【手続補正３】
【補正対象書類名】明細書
【補正対象項目名】００３６
【補正方法】変更
【補正の内容】
【００３６】
第１Ａレンズ群Ｌ１Ａは像側が凹面でメニスカス形状の３以上の負レンズを有し、この３以上の負レンズのレンズ面のうち少なくとも１つのレンズ面Ｒａ１は非球面形状である。
【手続補正４】
【補正対象書類名】明細書
【補正対象項目名】００３７
【補正方法】変更
【補正の内容】
【００３７】
以下、レンズ面Ｒａ１を第１の非球面という。
【手続補正５】
【補正対象書類名】明細書
【補正対象項目名】００４２
【補正方法】変更
【補正の内容】
【００４２】
第１の非球面Ｒａ１の像側の第２レンズ群Ｌ２を含めた複数のレンズ面のうち１つのレンズ面Ｒａ２は非球面形状である。ここでレンズ面Ｒａ２を第２の非球面という。第２の非球面Ｒａ２の非球面形状は、第２の非球面Ｒａ２が凹形状のときはレンズ中心に比べてレンズ周辺部で負の屈折力が強くなる形状より成る。又、第２の非球面Ｒａ２が凸形状のときはレンズ中心に比べレンズ周辺部で正の屈折力が弱くなる形状より成る。
【手続補正６】
【補正対象書類名】明細書
【補正対象項目名】００９４
【補正方法】変更
【補正の内容】
【００９４】
ある実施例では、これに対して、開口絞りＳＰの前後を正、正の屈折力を有する光学系で構成することで、超広角レンズで発生する倍率色収差、歪曲、コマ収差を良好に補正している。
【手続補正７】
【補正対象書類名】明細書
【補正対象項目名】００９５
【補正方法】変更
【補正の内容】
【００９５】
ある実施例では、正の屈折力の光学系、開口絞り、正の屈折力の光学系より成る構成をとりつつも、開口絞りよりも物体側の光学系内を負、正の屈折力の部分レンズ群からなる強いレトロフォーカス型のパワー配置で構成している。これにより長いバックフォーカスを確保している。